(57)【要約】【課題】  本発明は、作業中に気づかないうちに背中が柱などに当たったり、障害物に引っ掛けたりして防塵フィルタが外れてしまうことに鑑みてなされたものであり、防塵フィルタが外れにくい送風ファン内蔵服等を提供することを目的とする。【解決手段】  本発明の第１の観点は、服を着用した際に使用者の身体と前記服との間の空間に空気を送風する送風ファンを備える送風ファン内蔵服であって、前記送風ファンの風下かつ前記服の内側に、空気中の粉塵を取り除くためのフィルタ部材を備える、送風ファン内蔵服である。これにより、フィルタ部材は、服の内側についているため、背中が柱に当たった程度では外れるおそれがない。そのため、送風ファン内蔵服を狭い場所での作業でも使用することが可能になる。【選択図】図１
2020041234.tif 000002
【特許請求の範囲】
【請求項１】
服を着用した際に使用者の身体と前記服との間の空間に空気を送風する送風ファンを備える送風ファン内蔵服であって、
前記送風ファンの風下かつ前記服の内側に、空気中の粉塵を取り除くためのフィルタ部材を備える、送風ファン内蔵服。
【請求項２】
前記フィルタ部材は、磁石からなる磁石部をさらに有する、請求項１記載の送風ファン内蔵服。
【請求項３】
前記磁石部は、前記送風ファンからの気流を遮る第１面に位置する、請求項２記載の送風ファン内蔵服。
【請求項４】
前記フィルタ部材は、前記送風ファンからの風を前記第１面に導く導風壁をさらに有する、請求項３記載の送風ファン内蔵服。
【請求項５】
前記導風壁は、前記気流に沿う第２面にあり、
前記導風壁には、前記気流の流路と前記空間とを連通させる吹出口をさらに有する、請求項４記載の送風ファン内蔵服。
【請求項６】
前記フィルタ部材は、前記第１面と前記吹出口の間に配置されている着脱可能な邪魔板をさらに有する、請求項５記載の送風ファン内蔵服。
【請求項７】
前記フィルタ部材は、シリコーンゴムを素材とする、請求項１から６のいずれかに記載の送風ファン内蔵服。
【請求項８】
服を着用した際に使用者の身体と前記服との間の空間に空気を送風する送風ファンを備える送風装置であって、
前記送風ファンの風下に、空気中の粉塵を取り除くためのフィルタ部材を備える、送風装置。
【請求項９】
服を着用した際に使用者の身体と前記服との間の空間に空気を送風する送風ファンを備える送風ファン内蔵服に取り付けるためのフィルタ部材であって、
磁石からなる磁石部を備え、
前記磁石部は、前記送風ファンからの気流を遮る第１面に位置する、フィルタ部材。
【発明の詳細な説明】
【技術分野】
【０００１】
本発明は、服を着用した際に使用者の身体と前記服との間の空間に空気を送風する送風ファンを備える送風ファン内蔵服等に関するものである。
【背景技術】
【０００２】
近年、夏季でも空調設備が使用できない工場や屋外等の高温環境下用の作業服として、服の内部に空気を送り込む送風ファンを備える送風ファン内蔵服が普及してきている（特許文献１）。
【０００３】
図７は、従来の送風ファン内蔵服の背面の一部の写真である。一般に、送風ファンは、作業の妨げにならないように、後見頃の下部に設けられていることが多い。また、送風ファンの風上側（服の外側）は、粉塵の服内への侵入を防止するため、防塵フィルタで覆われている。
【先行技術文献】
【特許文献】
【０００４】
【特許文献１】国際公開２００２／０６７７０８号
【発明の概要】
【発明が解決しようとする課題】
【０００５】
しかしながら、フィルタがかさばっており、作業中に気づかないうちに背中が柱などに当たったり、障害物に引っ掛けたりして防塵フィルタが外れてしまうことがある。
【０００６】
本発明は、上記事情に鑑みてなされたものであり、防塵フィルタが外れにくい送風ファン内蔵服等を提供することを目的とする。
【課題を解決するための手段】
【０００７】
本発明の第１の観点は、服を着用した際に使用者の身体と前記服との間の空間に空気を送風する送風ファンを備える送風ファン内蔵服であって、前記送風ファンの風下かつ前記服の内側に、空気中の粉塵を取り除くためのフィルタ部材を備える、送風ファン内蔵服である。
【０００８】
本発明の第２の観点は、本発明の第１の観点の送風ファン内蔵服であって、前記フィルタ部材は、磁石からなる磁石部をさらに有する。
【０００９】
本発明の第３の観点は、本発明の第２の観点の送風ファン内蔵服であって、前記磁石部は、前記送風ファンからの風の流路を遮る第１面に位置する。
【００１０】
本発明の第４の観点は、本発明の第３の観点の送風ファン内蔵服であって、前記フィルタ部材は、前記送風ファンからの風を前記第１面に導く導風壁をさらに有する。
【００１１】
本発明の第５の観点は、本発明の第４の観点の送風ファン内蔵服であって、前記導風壁は、前記気流に沿う第２面にあり、前記導風壁には、前記気流の流路と前記空間とを連通させる吹出口をさらに有する。
【００１２】
本発明の第６の観点は、本発明の第５の観点の送風ファン内蔵服であって、前記フィルタ部材は、前記第１面と前記吹出口の間に配置されている邪魔板をさらに有する。
【００１３】
本発明の第７の観点は、本発明の第１から６のいずれかの観点の送風ファン内蔵服であって、前記フィルタ部材は、シリコーンゴムを素材とする。
【００１４】
本発明の第８の観点は、服を着用した際に使用者の身体と前記服との間の空間に空気を送風する送風ファンを備える送風装置であって、前記送風ファンの風下に、空気中の粉塵を取り除くためのフィルタ部材を備える、送風装置である。
【００１５】
本発明の第９の観点は、服を着用した際に使用者の身体と前記服との間の空間に空気を送風する送風ファンを備える送風ファン内蔵服に取り付けるためのフィルタ部材であって、磁石からなる磁石部を備え、前記磁石部は、前記送風ファンからの気流を遮る第１面に位置する、フィルタ部材である。
【発明の効果】
【００１６】
本発明の各観点によれば、フィルタ部材は、服の内側についているため、背中が柱に当たった程度では外れるおそれがない。そのため、送風ファン内蔵服を狭い場所での作業でも使用することが可能になる。
【００１７】
また、従来の防塵フィルタは、一般に可燃性の素材である。そのため、鉄材の切削や溶接などの火気作業を行う現場においては、防塵フィルタが燃えてしまうおそれがあるため、送風ファン内蔵服の使用が制限されていた。本発明の各観点によれば、フィルタ部材が服の外側に露出せず、引火する心配がないため、火気作業を行う現場においても使用できる送風ファン内蔵服等を提供することが可能になる。
【００１８】
本発明の第２の観点によれば、鉄粉などの磁性体の粉塵は磁石部に引き付けられるため、服に連通している吹出口が目詰まりすることなく、鉄粉が浮遊している現場においても一定の風量で送風し続けることが可能になる。従来は、フィルタが目詰まりして数時間で風量が低下していたが、本発明によれば、１日中使用していても風量が低下しなかった。
【００１９】
本発明の第３の観点によれば、送風ファンからの風が磁石部に突き当たるため、鉄粉除去率を向上させることが可能になる。
【００２０】
本発明の第４の観点によれば、より多くの送風ファンからの風が磁石部に突き当たるため、さらに鉄粉除去率を向上させることが可能になる。
【００２１】
本発明の第５の観点によれば、送風ファンからの風の多くが、吹出口から服の内部に吹出される前に磁石部に突き当たるため、さらに鉄粉除去率を向上させることが可能になる。
【００２２】
本発明の第６の観点によれば、送風ファン部材から鉄粉除去フィルタ部材に流れ込む空気のうち、磁石部に突き当たらずに吹出口に流れる気流を阻止することで、鉄粉除去率を向上させることができる。
【００２３】
本発明の第７の観点によれば、火の粉が飛ぶ現場においても使用できる送風ファン内蔵服等を提供することが可能になる。また、フィルタ部材が水洗いでき、繰り返し使用することが可能になる。さらに、素材をシリコーンゴムとするため、フィルタが装置本体に密着して外れにくくなる。
【図面の簡単な説明】
【００２４】
【図１】本発明の送風ファン内蔵服の概要を示すブロック図である。
【図２】本発明の送風ファン内蔵服の写真である。
【図３】実施例１にかかる鉄粉除去フィルタ部材を示す図である。
【図４】送風ファン内蔵服の内側に着用したシャツの写真である。
【図５】実施例２にかかる鉄粉除去フィルタ部材を示す図である。
【図６】吹出口の形状が異なる鉄粉除去フィルタ部材の一例を示す図である。
【図７】従来の送風ファン内蔵服の背面の一部を示す図である。
【発明を実施するための形態】
【００２５】
以下、図面を参照して、本発明の送風ファン内蔵服の実施例について述べる。
【実施例１】
【００２６】
図１は、本発明の送風ファン内蔵服１の概要を示すブロック図である。送風ファン内蔵服１は、服本体３と、送風装置５と、送風装置に電力を供給するための電源部７と、電源部を収容する電源収容部９と、電源部と送風装置とを電気的に接続するためのケーブル１１とを備える。また、送風装置５は、送風ファン部材１３と、鉄粉除去フィルタ部材１５（請求項記載の「フィルタ部材」の一例）とを備える。
【００２７】
図２は、本発明の送風ファン内蔵服１の写真であり、（ａ）は服の内側、（ｂ）は服の外側を示している。送風ファン部材１３は、服本体の後見頃の下方に２つ取り付けられている。図２（ａ）の写真左側の送風ファン部材１３１は、鉄粉除去フィルタ部材１５で覆われていない状態であり、写真右側の送風ファン部材１３２は、鉄粉除去フィルタ部材１５で覆われている状態である。図示の通り、鉄粉除去フィルタ部材１５は、送風ファン部材１３の風下かつ服の内側に取り付けられているため、背中が柱に当たった程度では外れるおそれがない。
【００２８】
また、必要であれば、送風ファン部材１３の風上側（服の外側）に火の粉除けフィルタの取付けも可能となる。
【００２９】
図３は、本発明の鉄粉除去フィルタ部材１５の写真であり、（ａ）は風下側からの斜視図、（ｂ）及び（ｃ）は風上側からの斜視図である。鉄粉除去フィルタ部材１５は、磁石部１７と、導風壁１８と、吹出口１９と、邪魔板２１と、吹込口２３とを備える。鉄粉除去フィルタ部材１５は円筒形状であり、一端には吹込口２３、他端には磁石部１７、側面の導風壁１８には複数の吹出口１９が設けられている。導風壁１８は、送風ファンからの風を磁石部１７に導くための壁である。吹出口１９は、送風ファンから磁石部１７への風の流路と、服を着用した際に使用者の身体と前記服との間の空間とを連通させるために、導風壁にあけられた孔である。
【００３０】
鉄粉除去フィルタ部材１５は、大まかには筒形の形状をしており、送風ファン部材１３の風下側（服の内側）にかぶせるように設置される。送風装置５を起動させると、服の外側から内側方向に空気が吸い込まれる。鉄粉除去フィルタ部材１５は、磁石部１７が送風ファンからの風の流路に対して垂直な面（請求項記載の「第１面」の一例）に位置し、吹出口１９がその流路に沿う面（請求項記載の「第２面」の一例）に位置するように送風ファン部材１３に取付けられている。そのため、吸い込まれた空気の多くは、吹込口２３を通って磁石部１７に突き当たって遮られる。そして、磁石部１７に突き当たった空気は、吹出口１９から服の内部に吹出される。
【００３１】
図３（ｂ）及び（ｃ）に示されるように、鉄粉を含む粉塵は主に磁石部１７に引き付けられていて、吹出口１９は目詰まりを起こしていない。そのため、本発明の鉄粉除去フィルタ部材１５を使用すれば、鉄粉が浮遊している現場においても一定の風量で送風し続けることが可能になる。鉄粉が浮遊している現場において、従来のフィルタ部材を付けた送風ファン内蔵服を使用すると、フィルタが目詰まりして数時間で風量が低下していたが、鉄粉除去フィルタ部材１５では、１日中使用しても風量が低下しないことを確認している。また、鉄粉除去フィルタ部材１５は水洗いできるため、繰り返し使用することが可能である。
【００３２】
なお、鉄粉除去フィルタ部材１５は、磁石部１７以外はシリコーンゴムで構成されている。そのため、鉄粉除去フィルタ部材１５と送風ファン部材１３との接触部分が密着して外れにくくなる。また、鉄材の切削や溶接などの火気作業を行う現場においては、従来のフィルタ部材は可燃性であるため使用できなかったが、本発明の鉄粉除去フィルタ部材１５は難燃性であるため使用できる。
【００３３】
また、図３に示す通り、磁石部の面と吹出口との間に、複数の邪魔板２１が配置されている。送風ファン部材１３から鉄粉除去フィルタ部材１５に流れ込む空気のうち、磁石部１７に突き当たらずに吹出口１９に流れる気流を阻止することで、鉄粉除去率を向上させることができる。また、邪魔板の形状、配置又は本数等によって、鉄粉除去率は変動する。そのため、目的に応じて邪魔板を付け替えられるように、邪魔板は鉄粉除去フィルタ部材に対して着脱可能に設けてもよい。
【００３４】
図４は、送風ファン内蔵服の内側に着用したシャツの写真であり、（ａ）は鉄粉除去フィルタ部材あり、（ｂ）は鉄粉除去フィルタ部材なしの場合である。鉄粉除去フィルタ部材の有無以外は同条件で実験した。写真からも明らかなように、鉄粉を含む粉塵汚れが付着した範囲が（ｂ）では３８０ｍｍ×３００ｍｍと広範囲であったが、（ａ）では５０ｍｍ×１００ｍｍと狭い範囲に抑えられた。また、（ａ）は（ｂ）に比べて汚れが薄く、本発明の鉄粉除去フィルタ部材が優れた鉄粉除去効果を有することが確認できた。鉄粉除去率は８割強であった。
【実施例２】
【００３５】
図５は、実施例１とは異なる構造の鉄粉除去フィルタ部材３０を示す図であり、（ａ）は正面図、（ｂ）は背面図、（ｃ）左側面図、（ｄ）右側面図、（ｅ）平面図、（ｆ）底面図、（ｇ）斜視図である。本実施例の鉄粉除去フィルタ部材３０は、実施例１と異なり、邪魔板３１が三重に配置されている。そのため、鉄粉除去率は高くなるが、服の内部に風が吹き出されにくくなる。そこで、一部又は全部の吹出口３３を六角形が連なった形状にし、実施例１よりも大きくすることで、服の内部に風が吹き出しやすくなる。また、本実施例の鉄粉除去フィルタ部材３０は、（ｄ）右側面図に示す切込み３５から保冷剤を入れることができる保冷剤保持部３７をさらに備える。そして、背面には六角形の冷気口３９が設けられている。そのため、保冷剤保持部３５に保冷剤を入れると、冷気口３９から保冷剤の冷気が使用者に伝わり、使用者の体温を下げることができる。また、保冷剤保持部３７自体が冷えて使用者の体温を下げることを期待できる。
【００３６】
なお、本発明の送風ファン内蔵服には、鉄粉除去フィルタ部材だけでなく、他の機能を有するフィルタ部材を取付けてもよい。他のフィルタ部材を鉄粉除去フィルタ部材よりも風上側に設ける場合には、他のフィルタ部材が鉄粉で目詰まりしないように、鉄粉が通過するサイズの網穴であることが望ましい。
【００３７】
また、磁石部は、送風ファンからの風の流路に対して垂直な面だけでなく、その流路に沿う面に設けてもよい。垂直な面と沿う面の両方に磁石部を設けることで、鉄粉除去率を向上させることが可能になる。
【００３８】
また、送風ファン部材を取付ける位置は、上記実施例に記載の位置に限られず、服本体の前身頃、側面等でもよい。取付ける送風ファン部材の個数は、２つに限られず、これより少数又は多数であってもよい。
【００３９】
また、導風壁は、上記実施例に記載の円筒の側壁のように送風ファンからの気流に沿う面を全て取り囲むものに限られず、例えば、複数の板状部材を間隔をあけて筒状に配置したものであってもよい。
【００４０】
また、吹出口の形状は、上記実施例のような円形又は六角形に限られず、風が十分に吹き出す形状であればよい。図６に、吹出口４１の形状が異なる鉄粉除去フィルタ部材４３の一例を示す。図６（ａ）は鉄粉除去フィルタ部材４３の斜視図、（ｂ）は鉄粉除去フィルタ部材４３を送風ファン部材４５に被せる様子を示す図である。図６に示す通り、吹出口４１は隣り合う円が連なった形状であってもよい。また、例えば、長方形状、正方形状、台形状、三角形状、五角形以上の多角形状、楕円形状等のいずれか１つの形状、又はいずれか２以上を組み合わせた形状としてもよい。
【符号の説明】
【００４１】
１  送風ファン内蔵服、３  服本体、５  送風装置、７  電源部、９  電源収容部、１１  ケーブル、１３  送風ファン部材、１５  鉄粉除去フィルタ部材、１７  磁石部、１８  導風壁、１９  吹出口、２１  邪魔板、２３  吹込口、３０  鉄粉除去フィルタ部材、３１  邪魔板、３３  吹出口、３５  切込み、３７  保冷剤保持部、３９  冷気口、４１  吹出口、４３  鉄粉除去フィルタ部材、４５  送風ファン部材
【図１】
2020041234.tif 000003
【図２】
2020041234.tif 000004
【図３】
2020041234.tif 000005
【図４】
2020041234.tif 000006
【図５】
2020041234.tif 000007
【図６】
2020041234.tif 000008
【図７】
2020041234.tif 000009